(57)【特許請求の範囲】
【請求項１】
換気用の吸排気貫通孔の形成のための貫通孔下地穴を設けた構造物壁体において、吸排気貫通孔は、貫通孔下地穴の屋内側開口部に挿入する吸排気配管接続パートユニットと屋外側開口部に挿入する引張固定ユニットとが、または、貫通孔下地穴の屋外側開口部に挿入する吸排気配管接続パートユニットと屋内側開口部に挿入する引張固定ユニットとが、いずれも１本乃至複数本の引張固定軸材で互いが接続固定して形成され、
吸排気配管接続パートユニットは、
シェルター非常換気装置のガスフィルター入気口側、または、シェルター非常換気装置のガスフィルター出気口側と接続する換気装置吸排気配管接続部と、当該換気装置吸排気配管接続部を端部に備えた壁体外側筒状体部と、
当該壁体外側筒状体部の換気装置吸排気配管接続部とは反対側に設けられた貫通孔下地穴の開口部に対応する位置規制壁面板と、
当該位置規制壁面板に貫通孔下地穴の開口部および貫通部に対応する壁体挿入筒状体部と、
当該壁体挿入筒状体部の筒状内の端部に設けられ引張固定軸材を固定する１箇所乃至複数箇所の軸材固定部を有する軸材接続固定部材と、
当該壁体外側筒状体部の任意の位置に１個乃至複数個の小径配管接続貫通部材と、
で形成された筒状体
であることを特徴とするシェルター非常換気装置吸排気配管接続貫通ユニット。
【請求項２】
引張固定ユニットは、吸排気配管接続パートユニットと同形状とすることを特徴とする請求項１に記載のシェルター非常換気装置吸排気配管接続貫通ユニット。
【請求項３】
引張固定ユニットは、貫通孔下地穴の開口部に対応する位置規制壁面板と、当該位置規制壁面板の構造物壁体側面に貫通孔下地穴の開口部および貫通部に対応する壁体挿入筒状体部と、当該位置規制壁面板または当該壁体挿入筒状体部の任意の位置に引張固定軸材を固定する１箇所乃至複数箇所の軸材固定部を有する軸材接続固定部材とを一体的に形成することを特徴とする請求項１に記載のシェルター非常換気装置吸排気配管接続貫通ユニット。
【請求項４】
引張固定ユニットは、貫通孔下地穴の開口部に対応する位置規制壁面板と、当該位置規制壁面板の任意の位置に引張固定軸材を固定する１箇所乃至複数箇所の軸材固定部を有する軸材接続固定部材と、当該位置規制壁面板の構造物壁体側面の任意の位置に位置規制ガイドとを一体的に形成することを特徴とする請求項１に記載のシェルター非常換気装置吸排気配管接続貫通ユニット。
【請求項５】
引張固定ユニットは、ベントキャップや吸排気グリルを備えることを特徴とする請求項１乃至請求項４のいずれかに記載のシェルター非常換気装置吸排気配管接続貫通ユニット。
【請求項６】
引張固定ユニットは、任意の位置に１個乃至複数個の小径配管接続貫通部材を備えることを特徴とする請求項１乃至請求項５のいずれかに記載のシェルター非常換気装置吸排気配管接続貫通ユニット。
【請求項７】
吸排気配管接続パートユニットの小径配管接続貫通部材の吸排気貫通孔内部側端部と引張固定ユニットの小径配管接続貫通部材の吸排気貫通孔内部側端部は、吸排気貫通孔の内部空間に配置する内部小径配管部材で互いに接続して内部小径貫通配管を形成することを特徴とする請求項１乃至請求項６のいずれかに記載のシェルター非常換気装置吸排気配管接続貫通ユニット。
【請求項８】
内部小径貫通配管は、当該内部小径貫通配管の吸排気配管接続パートユニット側端部または当該内部小径貫通配管の引張固定ユニット側端部に差圧計測器、または差圧計測器に接続された小径配管と接続して差圧計測用貫通配管とすることを特徴とする請求項７に記載のシェルター非常換気装置吸排気配管接続貫通ユニット。
【請求項９】
内部小径貫通配管は、当該内部小径貫通配管の吸排気配管接続パートユニット側端部または当該内部小径貫通配管の引張固定ユニット側端部に給排水設備、または給排水設備に接続された小径配管と接続して給排水用貫通配管とすることを特徴とする請求項７に記載のシェルター非常換気装置吸排気配管接続貫通ユニット。
【請求項１０】
内部小径貫通配管は、当該内部小径貫通配管の配管内部にケーブルを挿入してケーブル用内部誘導貫通サヤ配管とすることを特徴とする請求項７に記載のシェルター非常換気装置吸排気配管接続貫通ユニット。
【請求項１１】
吸排気配管接続パートユニットの壁体挿入筒状体部と引張固定ユニットの壁体挿入筒状体部は、互いの壁体挿入筒状体部同士をフレキシブルダクトで接続することを特徴とする請求項１乃至請求項３のいずれかに記載のシェルター非常換気装置吸排気配管接続貫通ユニット。
【請求項１２】
換気用の吸排気貫通孔の形成のための貫通孔下地穴を設けた構造物壁体において、吸排気貫通孔は、貫通孔下地穴の屋内側開口部に挿入する吸排気配管接続パートユニットと屋外側開口部に挿入する引張固定ユニットとが、または、貫通孔下地穴の屋外側開口部に挿入する吸排気配管接続パートユニットと屋内側開口部に挿入する引張固定ユニットとが、いずれも１本乃至複数本の引張固定軸材で互いが接続固定して形成するためのシェルター非常換気装置吸排気配管接続貫通ユニットの組立接続方法であって、
吸排気配管接続パートユニットは請求項１に記載の吸排気配管接続パートユニットであり、引張固定ユニットは請求項２乃至請求項６に記載のいずれかの引張固定ユニットであって、
吸排気貫通孔は、引張固定軸材を組み付けた吸排気配管接続パートユニットを貫通孔下地穴の一方の側から挿入してから対応する引張固定ユニットを他方の側から挿入して引張固定ユニットの軸材固定部を引張固定軸材で引張固定するか、引張固定軸材を組み付けた引張固定ユニットを貫通孔下地穴の一方の側から挿入してから対応する吸排気配管接続パートユニットを他方の側から挿入して吸排気配管接続パートユニットの軸材固定部を引張固定軸材で引張固定するかして、構造物壁体の壁面を互いのユニットの位置規制壁面板で挟み込み固定し、その後、吸排気貫通孔の内部空間に配置する小径配管部材である内部小径貫通配管で互いのユニットの小径配管接続貫通部材の吸排気貫通孔内部側端部同士を接続することを特徴とするシェルター非常換気装置吸排気配管接続貫通ユニットの組立接続方法。
【請求項１３】
吸排気配管接続パートユニットと引張固定ユニットと小径配管接続貫通部材および小径配管部材は、金属または樹脂から形成することを特徴とする請求項１２に記載のシェルター非常換気装置吸排気配管接続貫通ユニットの組立接続方法。
【発明の詳細な説明】
【技術分野】
【０００１】
本発明は、既存する構造物および建設計画中のあらゆる構造物に容易かつ経済的にシェルター非常換気装置を設置するためのシェルター非常換気装置吸排気配管接続貫通ユニットおよび組立接続方法に関するものである。
【背景技術】
【０００２】
従来から、種々の換気装置と当該換気装置を建物に設置するための構成と取付方法、さらに換気運用方法は様々考案されている。
【０００３】
特許第３６０３３４９（特許文献１）に示される無線式遠隔制御器の着脱自在な取付け装置は、取付台の遠隔制御器収納面に係止し、既設のケーブル線接続方式の遠隔制御器で使用した壁貫通孔に螺溝を有する固定具を挿入後、前記固定具の屋外壁面側の端部に締付用ナットを螺着して浴室内壁面に取付台を固定する構成としたものである。
【０００４】
また、特開平７−１９０４３３（特許文献２）に示される換気扇取付部材は、室壁に設けられた貫通孔に、互いに螺合することのできるねじ部を有し、片側端部には前記貫通孔径より大径のフランジ部を有した換気扇本体が設置される小径パイプと、ベントキャップの設けられる大径パイプを螺合設置するように設け、大径パイプの端部の小径パイプを差し込む部分には、小径パイプの差し込みしろとして、ある距離を、ねじ部を有していない部分として設け、大径パイプの差し込みしろに小径パイプの先端を差し込んでからねじ込んでいくことができる構成としたものである。
【０００５】
また、本発明に使用するシェルター非常換気装置は、植村技研工業株式会社の防災シェルターパンフレット（非特許文献１）に示すシェルター非常換気装置のような構成であって、その構成は主に送気ファンとガスフィルターとから構成され、かつ、当該ガスフィルターはＮＢＣＲ災害に対応し得るもので、有害な効果を有する空気中のあらゆる不純物を除去することができ、送気ファンとガスフィルターとをつなぐ配管等に気密性欠損部が存在してもガスフィルター未処理空気が機外へ漏出することを防ぐために、送気ファンの吸気側に配置されるものである。
【０００６】
ガスフィルター未処理空気は、当該シェルター非常換気装置の送気ファンを手動または電動で駆動させることで、ガスフィルター吸気口からガスフィルター内を経由して浄化処理された後、ガスフィルター送気口、送気ファン吸気口、送気ファン送気口を経て、機外へ送気される。
【０００７】
通常、シェルター非常換気装置は、核シェルターや原子力発電所、化学工場などの制御用建屋など、構造物内部に避難する人々や指令運用者らを保護するための危機管理対策の一環として設置され、屋外汚染空気をシェルター非常換気装置により浄化しながら清浄な空気を構造物内部に送り込んで構造物内部の気圧を大気圧に対し陽圧化し、ドア開閉による人々の出入りや気密性欠損部からの汚染物質の屋内への流入を阻止するとともに、人々の呼吸に必要な清浄空気を供給する陽圧フィルタリング換気を提供するものである。
【０００８】
この時、当該シェルター非常換気装置は、構造物壁体の任意の位置に設けた換気用吸気貫通孔に接続し、当該換気用吸気貫通孔とは別の任意の位置に設ける任意開口部との連携で陽圧フィルタリング換気を行うが、任意開口部の開口度合いを調節して、陽圧の度合いを調節することができる。
【０００９】
また、当該シェルター非常換気装置を応用して、屋内汚染空気をシェルター非常換気装置により浄化しながら清浄な空気を屋外に排気して構造物内部の気圧を大気圧に対し陰圧化し、ドア開閉による人々の出入りや気密性欠損部からの汚染物質の屋外への流出を阻止するとともに、人々の呼吸に必要な清浄空気を供給する陰圧フィルタリング換気を提供することもできる。
【００１０】
なお、当該シェルター非常換気装置は、任意開口部の開口度合いの程度や、窓やドアの破損、建屋にひび割れが生じた場合などの気密性欠損部が陽圧の度合いに与える影響を考慮し、（非特許文献１）に示すように、屋外気圧と屋内気圧との差圧を計測するための差圧計測器を別途形成し併用することが多い。
【先行技術文献】
【特許文献】
【００１１】
【特許文献１】特許第３６０３３４９号公報
【特許文献２】特開平７−１９０４３３号公報
【非特許文献】
【００１２】
【非特許文献１】植村技研工業株式会社のパンフレット「防災シェルター」
【発明の開示】
【発明が解決しようとする課題】
【００１３】
特許文献１は、装置を壁に備え付ける構造ではあるが、換気を行うための貫通孔を有するものではないので、換気を行うことができない。
【００１４】
また、特許文献２は、小型換気装置は備え付けられるが、差圧計測器の接続や、給排水配管、ケーブル挿入サヤ配管を形成することは、全く触れられていない。
【００１５】
シェルター非常換気装置は、屋外空気や任意の構造物内部の屋内空気がＮＢＣＲ汚染した場合において、汚染空気の構造物内への流入および構造物外への流出を効果的に防止すること、これら汚染物質による有害な影響から人々の健康と生命を保護するための汚染空気の清浄化と汚染物質の吸着除去、さらに避難者および作業員の呼吸のための清浄空気の供給を行うことのできる優れた換気装置であるが、わが国に限らず世界的に評価しても、シェルター非常換気装置を総合的な防衛防災対策として予め構造物に設置している件数は、一部の国を除いて未だ非常に少ないといえ、将来において、万一のＮＢＣＲ兵器を使用した武力攻撃事態や大規模なテロ、また、自然災害などにより発生する原子力発電所や化学コンビナートなどの損傷により、深刻な空気汚染が生じた場合の効果的な対策の一つとして、シェルター非常換気装置の既存建物と今後の新築建物へのさらなる導入が求められる。
【００１６】
しかし、特にシェルター非常換気装置の既存建物への導入において、元来コンクリート構造物の壁体に取付設置するシェルター非常換気装置では、わが国に多い木造や鉄骨造といった構造物に対し、都度、煩雑な現場工事が必要となる。
【００１７】
また、古い既存建物は気密欠損部が大きく、あるいは、既存建物や新築建物に限らず、災害により新たに生じた気密性欠損部などにより適切な差圧が得られていない可能性があるため、気密性欠損部の位置探索と気密性確保のための措置が適切であるかどうかの確認を行うための差圧計測器による差圧管理が必須であり、当該差圧管理を行うためには、換気用貫通孔とは別に専用の差圧計測用貫通配管を設ける必要がある。
【００１８】
一方、非常事態の状況下では、日常での水や電気、通信情報の使用を支える給排水配管や電気、通信ケーブルなどのインフラが損傷を受けることや、閉鎖系空間や災害後の孤立系空間に退避した場合などでこれらのインフラが整っていない場合、別途、新たな給排水用貫通配管やケーブル用貫通配管を増設する必要性もあり、これに対応することも望まれる。
【００１９】
本発明の課題は、既存する構造物および建設計画中のあらゆる構造物に容易かつ経済的にシェルター非常換気装置を設置することができ、精度の高い差圧管理を行うための差圧計測用内部小径貫通配管、任意に設定する避難生活を支援するための給排水用内部小径貫通配管、新たなケーブルを引き込むためのケーブル用内部誘導貫通サヤ配管などに利用することができる内部小径貫通配管を備えるシェルター非常換気装置吸排気配管接続貫通ユニットおよび組立接続方法の提供である。
【課題を解決するための手段】
【００２０】  上記課題を解決するための請求項１の発明は、換気用の吸排気貫通孔の形成のための貫通孔下地穴を設けた構造物壁体において、吸排気貫通孔は、貫通孔下地穴の屋内側開口部に挿入する吸排気配管接続パートユニットと屋外側開口部に挿入する引張固定ユニットとが、または、貫通孔下地穴の屋外側開口部に挿入する吸排気配管接続パートユニットと屋内側開口部に挿入する引張固定ユニットとが、いずれも１本乃至複数本の引張固定軸材で互いが接続固定して形成され、吸排気配管接続パートユニットは、シェルター非常換気装置のガスフィルター入気口側、または、シェルター非常換気装置のガスフィルター出気口側と接続する換気装置吸排気配管接続部と、当該換気装置吸排気配管接続部を端部に備えた壁体外側筒状体部と、当該壁体外側筒状体部の換気装置吸排気配管接続部とは反対側に設けられた貫通孔下地穴の開口部に対応する位置規制壁面板と、当該位置規制壁面板に貫通孔下地穴の開口部および貫通部に対応する壁体挿入筒状体部と、当該壁体挿入筒状体部の筒状内の端部に設けられ引張固定軸材を固定する１箇所乃至複数箇所の軸材固定部を有する軸材接続固定部材と、当該壁体外側筒状体部の任意の位置に１個乃至複数個の小径配管接続貫通部材と、で形成された筒状体であることをその特徴としている。【００２１】
また、請求項１の発明を前提として請求項２の発明は、引張固定ユニットは、吸排気配管接続パートユニットと同形状とすることを、その特徴としている。
【００２２】
また、請求項１の発明を前提として請求項３の発明は、引張固定ユニットは、貫通孔下地穴の開口部に対応する位置規制壁面板と、当該位置規制壁面板の構造物壁体側面に貫通孔下地穴の開口部および貫通部に対応する壁体挿入筒状体部と、当該位置規制壁面板または当該壁体挿入筒状体部の任意の位置に引張固定軸材を固定する１箇所乃至複数箇所の軸材固定部を有する軸材接続固定部材とを一体的に形成することを、その特徴としている。
【００２３】
また、請求項１の発明を前提として請求項４の発明は、引張固定ユニットは、貫通孔下地穴の開口部に対応する位置規制壁面板と、当該位置規制壁面板の任意の位置に引張固定軸材を固定する１箇所乃至複数箇所の軸材固定部を有する軸材接続固定部材と、当該位置規制壁面板の構造物壁体側面の任意の位置に位置規制ガイドとを一体的に形成することを、その特徴としている。
【００２４】
また、請求項１乃至４の発明を前提として請求項５の発明は、引張固定ユニットは、ベントキャップや吸排気グリルを備えることを、その特徴としている。
【００２５】  また、請求項１乃至５の発明を前提として請求項６の発明は、引張固定ユニットは、任意の位置に１個乃至複数個の小径配管接続貫通部材を備えることを、その特徴としている。【００２６】
また、請求項１乃至６の発明を前提として請求項７の発明は、吸排気配管接続パートユニットの小径配管接続貫通部材の吸排気貫通孔内部側端部と引張固定ユニットの小径配管接続貫通部材の吸排気貫通孔内部側端部は、吸排気貫通孔の内部空間に配置する内部小径配管部材で互いに接続して内部小径貫通配管を形成することを、その特徴としている。
【００２７】  また、請求項７の発明を前提として請求項８の発明は、内部小径貫通配管は、当該内部小径貫通配管の吸排気配管接続パートユニット側端部または当該内部小径貫通配管の引張固定ユニット側端部に差圧計測器、または差圧計測器に接続された小径配管と接続して差圧計測用貫通配管とすることを、その特徴としている。【００２８】  また、請求項７の発明を前提として請求項９の発明は、内部小径貫通配管は、当該内部小径貫通配管の吸排気配管接続パートユニット側端部または当該内部小径貫通配管の引張固定ユニット側端部に給排水設備、または給排水設備に接続された小径配管と接続して給排水用貫通配管とすることを、その特徴としている。【００２９】  また、請求項７の発明を前提として請求項１０の発明は、内部小径貫通配管は、当該内部小径貫通配管の配管内部にケーブルを挿入してケーブル用内部誘導貫通サヤ配管とすることを、その特徴としている。【００３０】
また、請求項１乃至３の発明を前提として請求項１１の発明は、吸排気配管接続パートユニットの壁体挿入筒状体部と引張固定ユニットの壁体挿入筒状体部は、互いの壁体挿入筒状体部同士をフレキシブルダクトで接続することを、その特徴としている。
【００３１】  また、請求項１２の発明は、換気用の吸排気貫通孔の形成のための貫通孔下地穴を設けた構造物壁体において、吸排気貫通孔は、貫通孔下地穴の屋内側開口部に挿入する吸排気配管接続パートユニットと屋外側開口部に挿入する引張固定ユニットとが、または、貫通孔下地穴の屋外側開口部に挿入する吸排気配管接続パートユニットと屋内側開口部に挿入する引張固定ユニットとが、いずれも１本乃至複数本の引張固定軸材で互いが接続固定して形成するためのシェルター非常換気装置吸排気配管接続貫通ユニットの組立接続方法であって、吸排気配管接続パートユニットは請求項１に記載の吸排気配管接続パートユニットであり、引張固定ユニットは請求項２乃至請求項６に記載のいずれかの引張固定ユニットであって、吸排気貫通孔は、引張固定軸材を組み付けた吸排気配管接続パートユニットを貫通孔下地穴の一方の側から挿入してから対応する引張固定ユニットを他方の側から挿入して引張固定ユニットの軸材固定部を引張固定軸材で引張固定するか、引張固定軸材を組み付けた引張固定ユニットを貫通孔下地穴の一方の側から挿入してから対応する吸排気配管接続パートユニットを他方の側から挿入して吸排気配管接続パートユニットの軸材固定部を引張固定軸材で引張固定するかして、構造物壁体の壁面を互いのユニットの位置規制壁面板で挟み込み固定し、その後、吸排気貫通孔の内部空間に配置する小径配管部材である内部小径貫通配管で互いのユニットの小径配管接続貫通部材の吸排気貫通孔内部側端部同士を接続することを、その特徴としている。【００３２】  また、請求項１３の発明は、吸排気配管接続パートユニットと引張固定ユニットと小径配管接続貫通部材および小径配管部材は、金属または樹脂から形成することを、その特徴としている。
【発明の効果】
【００３４】
請求項１の発明は、換気用の吸排気貫通孔の形成のための貫通孔下地穴を設けた構造物壁体において、吸排気貫通孔は、貫通孔下地穴の屋内側開口部に挿入する吸排気配管接続パートユニットと屋外側開口部に挿入する引張固定ユニットとが、または、貫通孔下地穴の屋外側開口部に挿入する吸排気配管接続パートユニットと屋内側開口部に挿入する引張固定ユニットとが、いずれも１本乃至複数本の引張固定軸材で互いが接続固定して形成するので、引張固定軸材の長さと数量を調節するだけで、壁体の内部構造および壁体を構成する壁面板の強度に関わらず、貫通孔下地穴を設けた構造物壁体を２つのユニットで両面から強力に挟み込んで吸排気貫通孔を形成することができるので、当該吸排気貫通孔の吸排気配管接続パートユニットに、シェルター非常換気装置の吸気配管または送気配管を、屋内側および屋外側に関わらず、安全かつ確実に接続することができる。
【００３５】  また、吸排気配管接続パートユニットは、引張固定軸材を固定する１箇所乃至複数箇所の軸材固定部を有する軸材接続固定部材と、当該貫通孔下地穴の開口部に対応する位置規制壁面板と、当該位置規制壁面板の構造物壁体側面とは反対側に換気装置吸排気配管接続部を端部に備えた壁体外側筒状体部と、当該貫通孔下地穴の開口部および貫通部に対応する壁体挿入筒状体部とで形成され、また、当該壁体外側筒状体部の任意の位置に１個乃至複数個の小径配管接続貫通部材を備えた筒状体であるので、現場での吸気貫通孔を形成作業時に、煩雑な作業を必要とせず、誰でもが容易かつ短時間に組み立てることができるので、施工性が高く経済的である。【００３６】
また、換気装置吸排気配管接続部は、シェルター非常換気装置のガスフィルター入気口側、または、シェルター非常換気装置のガスフィルター出気口側と接続するので、換気装置吸排気配管接続部をシェルター非常換気装置のガスフィルター入気口側に接続する場合において、吸排気配管接続パートユニットを屋内側に配置する場合は、陽圧フィルタリング換気を行う構成となり汚染屋外空気を清浄化処理して安全な空気として屋内側に給気することができ、吸排気配管接続パートユニットを屋内側に配置する場合は、陰圧フィルタリング換気を行う構成となり汚染屋内空気を清浄化処理して安全な空気として屋外側に送気することができ、また、換気装置吸排気配管接続部をシェルター非常換気装置のガスフィルター出気口側に接続する場合において、吸排気配管接続パートユニットを屋内側に配置する場合は、陰圧フィルタリング換気を行う構成となり汚染屋内空気を清浄化処理して安全な空気として屋外側に送気することができ、吸排気配管接続パートユニットを屋内側に配置する場合は、陽圧フィルタリング換気を行う構成となり汚染屋外空気を清浄化処理して安全な空気として屋内側に給気することができる。
【００３７】
請求項２の発明は、請求項１の発明を前提として、引張固定ユニットは、吸排気配管接続パートユニットと同形状とするので、シェルター非常換気装置と接続する吸排気配管接続パートユニットを強力に引っ張ることができ、また、構造物壁体を形成する壁面板と位置規制壁面板とが面接触するので気密性、防水性が得られ易く、強い力で構造物壁体の壁面部に押しつけられる際に発生する圧力を低減することができるとともに、小径配管貫通孔の屋外側開口部を、シェルター非常換気装置の吸排気による気圧変動、吸排気風の影響を受けにくい位置に配置することになり、また、吸排気配管接続パートユニットと同型のユニットであるので生産性も高く、効果的な吸排気貫通孔を形成することができる。
【００３８】
請求項３の発明は、請求項１の発明を前提として、引張固定ユニットは、貫通孔下地穴の開口部に対応する位置規制壁面板と、当該位置規制壁面板の構造物壁体側面に貫通孔下地穴の開口部および貫通部に対応する壁体挿入筒状体部と、当該位置規制壁面板または当該壁体挿入筒状体部の任意の位置に引張固定軸材を固定する１箇所乃至複数箇所の軸材固定部を有する軸材接続固定部材とを一体的に形成するので、シェルター非常換気装置と接続する吸排気配管接続パートユニットを強力に引っ張ることができ、また、構造物壁体を形成する壁面板と位置規制壁面板とが面接触するので気密性、防水性が得られ易く、強い力で構造物壁体の壁面部に押しつけられる際に発生する圧力を低減することができ、より経済的に吸排気貫通孔を形成することができる。
【００３９】
請求項４の発明は、請求項１の発明を前提として、引張固定ユニットは、貫通孔下地穴の開口部に対応する位置規制壁面板と、当該位置規制壁面板の任意の位置に引張固定軸材を固定する１箇所乃至複数箇所の軸材固定部を有する軸材接続固定部材と、当該位置規制壁面板の構造物壁体側面の任意の位置に位置規制ガイドとを一体的に形成するので、貫通孔下地穴の吸排気配管接続パートユニット挿入側から貫通孔下地穴の中を移動させて当該引張固定ユニットの設置位置に導くことができ、施工性が高く経済的である。
【００４０】
請求項５の発明は、請求項１乃至４の発明を前提として、引張固定ユニットは、ベントキャップや吸排気グリルを備えるので、屋外側に位置するときは、暴風雨による屋内への影響を最小限に抑えるとともに外観意匠性も損なうことはなく、屋内側に位置するときは、内装意匠性を損なうことはない。
【００４１】
請求項６の発明は、請求項３乃至５の発明を前提として、引張固定ユニットは、任意の位置に１個乃至複数個の小径配管接続貫通部材を備えるので、当該小径配管接続貫通部材の貫通部の気密性を損なうことなく引張固定ユニット本体を内部小径配管で貫通することができ、また、当該小径配管接続貫通部材が予め取り付けられているので、内部小径配管部材を容易に接続することができ、施工性が高く経済的である。
【００４２】
請求項７の発明は、請求項１乃至６の発明を前提として、吸排気配管接続パートユニットの小径配管接続貫通部材の吸排気貫通孔内部側端部と引張固定ユニットの小径配管接続貫通部材の吸排気貫通孔内部側端部は、吸排気貫通孔の内部空間に配置する内部小径配管部材で互いに接続して内部小径貫通配管を形成するので、当該内部小径配管を差圧計測器や給排水配管、ケーブル誘導サヤ配管として使用することができ、これらの専用貫通孔を別途任意の位置に設ける必要がなくなり、合理的かつ経済的である。
【００４３】
請求項８の発明は、請求項１乃至７の発明を前提として、内部小径貫通配管は、当該内部小径貫通配管の吸排気配管接続パートユニット側端部または当該内部小径貫通配管の引張固定ユニット側端部に、差圧計測器または差圧計測器に接続された小径配管を接続して差圧計測用貫通配管とするので、シェルター非常換気装置の運転時に吸排気される空気の影響を受けずに、正確な差圧を測定することができるとともに、別途、差圧計測用貫通配管を設ける必要がなく、施工性が高く経済的である。
【００４４】
請求項９の発明は、請求項１乃至７の発明を前提として、内部小径貫通配管は、当該内部小径貫通配管の吸排気配管接続パートユニット側端部または当該内部小径貫通配管の引張固定ユニット側端部に、給排水設備または給排水設備に接続された小径配管と接続して給排水用貫通配管とするので、シェルター非常換気装置の運転時か停止時かに関わらず、給排水を行うことができるとともに、別途、給排水用貫通配管を設ける必要がなく、施工性が高く経済的である。
【００４５】
請求項１０の発明は、請求項１乃至７の発明を前提として、内部小径貫通配管は、当該内部小径貫通配管の配管内部にケーブルを挿入してケーブル用内部誘導貫通サヤ配管とするので、シェルター非常換気装置や電子機器類の動力源である電力の送受電や、情報交換のための通信ケーブルなどを、安全、確実に挿入して施工することができるとともに、別途、ケーブル用誘導貫通サヤ配管を設ける必要がなく、施工性が高く経済的である。
【００４６】
請求項１１の発明は、請求項１乃至３の発明を前提として、吸排気配管接続パートユニットの壁体挿入筒状体部と引張固定ユニットの壁体挿入筒状体部は、互いの壁体挿入筒状体部同士をフレキシブルダクトで接続するので、木造や鉄骨造建物の壁体内部の空気がシェルター非常換気装置により吸い込まれることを防止して確実な吸排気を行うことができるとともに、フレキシブル素材なので施工性が高く経済的である。
【００４７】
請求項１２の発明は、吸排気貫通孔は、引張固定軸材を組み付けた吸排気配管接続パートユニットを貫通孔下地穴の一方の側から挿入してから対応する引張固定ユニットを他方の側から挿入して引張固定ユニットの軸材固定部を引張固定軸材で引張固定するか、引張固定軸材を組み付けた引張固定ユニットを貫通孔下地穴の一方の側から挿入してから対応する吸排気配管接続パートユニットを他方の側から挿入して吸排気配管接続パートユニットの軸材固定部を引張固定軸材で引張固定するかして、構造物壁体の壁面を互いのユニットの位置規制壁面板で挟み込み固定するので、構造物壁体の構造や貫通孔下地穴の加工精度に影響されることなく、現場に応じて都合のよいユニット側から組み立てることができるので、作業が容易であり経済的である。
【００４８】
請求項１３の発明は、内部小径貫通配管は、吸排気配管接続パートユニットと引張固定ユニットとが構造物壁体に固定された後、吸排気貫通孔の内部空間に配置する小径配管部材で、互いのユニットの小径配管接続貫通部材の吸排気貫通孔内部側端部同士を接続して形成するので、作業が容易であり経済的である。
【００４９】
請求項１４の発明は、請求項１乃至１３の発明を前提として、吸排気配管接続パートユニットと引張固定ユニットと小径配管接続貫通部材および小径配管部材は、金属または樹脂から形成するので、容易に加工ができ経済的である。
【００５０】
以上、本発明のシェルター非常換気装置吸排気配管接続貫通ユニットおよび組立接続方法は、既存する構造物および建設計画中のあらゆる構造物に容易かつ経済的にシェルター非常換気装置を設置することができ、精度の高い差圧管理を行うための差圧計測用内部小径貫通配管、任意に設定する避難生活を支援するための給排水用内部小径貫通配管、新たなケーブルを引き込むためのケーブル用内部誘導貫通サヤ配管などに利用することができる内部小径貫通配管を備えることができる。
【図面の簡単な説明】
【００５１】
【図１】吸排気貫通孔の構成断面図（その１）
【図２】吸排気貫通孔の構成断面図（その２）
【図３】吸排気貫通孔の構成断面図（その３）
【図４−ａ】シェルター非常換気装置屋内側設置における陽圧フィルタリング換気の構成図
【図４−ｂ】シェルター非常換気装置屋内側設置における陰圧フィルタリング換気の構成図
【図５−ａ】シェルター非常換気装置屋外側設置における陽圧フィルタリング換気の構成図
【図５−ｂ】シェルター非常換気装置屋外側設置における陰圧フィルタリング換気の構成図
【図６−ａ】吸排気配管接続パートユニットと引張固定ユニットの組立図
【図６−ｂ】内部小径貫通配管／シェルター非常換気装置吸排気配管接続部／差圧計測器の組み立てとシェルター非常換気装置吸排気配管接続貫通ユニットとシェルター非常換気装置との組立接続図
【図６−ｃ】組立接続されたシェルター非常換気装置吸排気配管接続貫通ユニットとシェルター非常換気装置吸排気配管接続状態図
【図７−ａ】図１に示す吸排気配管接続パートユニット／引張固定ユニットの屋内側斜視図
【図７−ｂ】図１に示す吸排気配管接続パートユニット／引張固定ユニットの屋外側斜視図
【図８−ａ】図２に示す引張固定ユニットの屋外側斜視図
【図８−ｂ】図２に示す引張固定ユニットの屋内側斜視図
【図９】図３に示す引張固定ユニットの屋外側斜視図
【発明を実施するための形態】
【００５２】
以下に、図面を参照しつつ本発明の好ましい形態を解説する。
【００５３】
本発明に示すシェルター非常換気装置吸排気配管接続貫通ユニット５の基本構成は、図１、図２、図３、運用実施構成は図４−ａ、図４−ｂ、図５−ａ、図５−ｂ、組立接続手順は図６−ａ、図６−ｂ、図６−ｃに示しており、シェルター非常換気装置吸排気配管接続貫通ユニット５を構成する吸排気配管接続パートユニット６および引張固定ユニット７の構成は図７−ａ、図７−ｂ、図８−ａ、図８−ｂ、図９に斜視図として示している。
【００５４】
シェルター非常換気装置吸排気配管接続貫通ユニット５の運用実施構成は、図４−ａおよび図４−ｂ、図５−ａおよび図５−ｂに示すように４種類が考えられ、これら４種類の基本構成について共通となっている重要構成要素が３つある。
【００５５】
１つ目の重要構成要素は、当該シェルター非常換気装置吸排気配管接続貫通ユニット５に接続するシェルター非常換気装置が、すべてシェルター非常換気装置送気ファン３０の吸気側にシェルター非常換気装置ガスフィルター３１が配置されている点であり、シェルター非常換気装置送気ファン３０とシェルター非常換気装置ガスフィルター３１とをつなぐ配管等に気密性欠損部が存在してもガスフィルター未処理空気が機外へ漏出することがないよう配管内気圧が陰圧となるように構成している点である。
【００５６】
２つ目の重要構成要素は、任意開口部４の存在であり、シェルター非常換気装置による陽圧フィルタリング換気または陰圧フィルタリング換気を行う場合、構造物壁体１に設けた任意開口部４の大きさの大小や、別途過圧調整バルブを備えるなどして、大気圧に対する屋内気圧の陽圧または陰圧の度合いを調節して、シェルター非常換気装置と任意開口部４との連携で適切な陽圧換気または陰圧換気を行う点である。
【００５７】
例えば、当該任意開口部４は、既存建物の場合、キッチンに設けられた既存換気扇の開口部などを利用するが、陽圧フィルタリング換気または陰圧フィルタリング換気を行う時、当該任意開口部４の大きさを大きくすると換気抵抗が小さくなり陽圧および陰圧の度合いを示す差圧を小さくすることができ、当該任意開口部４の大きさを小さくすると換気抵抗が大きくなり陽圧および陰圧の度合いを示す差圧を大きくすることができる。
【００５８】
ただし、任意開口部４は、非常時において、窓やドアの破損、建屋にひび割れが生じた場合など、視覚的に認識しにくい部位に気密性欠損部が生じた際、当該気密性欠損部が任意開口部４の働きをして差圧の度合いを小さくする点に注意しなければならない。
【００５９】
３つ目の重要構成要素は、シェルター非常換気装置と任意開口部４との連携による陽圧フィルタリング換気または陰圧フィルタリング換気を行うにあたり、目標としている大気圧に対する差圧が十分に得られているのかどうかを把握する差圧管理のための差圧計測器３５を併用する点である。
【００６０】
当該差圧計測器３５は、図４−ａ、図４−ｂ、図５−ａ、図５−ｂでは、シェルター非常換気装置設置側に配置しているが、使用時に差圧管理の管理者に相当する人が目視して差圧管理を行う場合、例えば、シェルター非常換気装置を屋外側に設置して陽圧フィルタリング換気を行う図５−ａに示す屋外側に設置されている差圧計測器３５を屋内側に配置して屋内側の人が差圧管理を行うなど、差圧計測器３５は必ずしもシェルター非常換気装置と同じ側に配置するとは限らないので、差圧計測器３５の配置は都度検討するものとする。
【００６１】
以上の３つの重要構成要素を満足することで、シェルター非常換気装置吸排気配管接続貫通ユニット５は、あらゆる災害に対する効果的な陽圧フィルタリング換気または陰圧フィルタリング換気の効果を提供するための基本構成を確保することができる。
【００６２】
図４−ａに示す運用実施構成は、陽圧フィルタリング換気を行うための構成で、ＮＢＣＲ兵器を使用した武力攻撃により放射性微粒子や有毒ガス、有害ウィルスなどで屋外空気が汚染した場合に極めて有効であり、ＮＢＣＲ災害に対応するシェルター非常換気装置ガスフィルター３１による長期間にわたる有害物質除去精度の極めて高い陽圧フィルタリング換気を行うことで、構造物内部の汚染を防ぐことができるとともに、屋内にいる人々に安全な空気を供給することができる。
【００６３】
図４−ｂに示す運用実施構成は、陰圧フィルタリング換気を行うための構成で、空気に有害な汚染を生じさせ得る可能性のある物質が構造物内部に存在する原子力発電所や石油コンビナート等のテロ災害対策や事故災害対策、およびこれらの災害の事前対策として有効で、ＮＢＣＲ災害に対応するシェルター非常換気装置ガスフィルター３１による長期間にわたる有害物質除去精度の極めて高い陰圧フィルタリング換気を行うことができ、構造物内部の汚染空気が屋外に流出することを防ぐとともに、構造物内部の空気に浮遊または混合する有害物質を吸着除去することができる。
【００６４】
図５−ａに示す運用実施構成は、陽圧フィルタリング換気を行うための構成で、ＮＢＣＲ兵器を使用した武力攻撃により放射性微粒子や有毒ガス、有害ウィルスなどで屋外空気が汚染し、構造物内部側にシェルター非常換気装置を設置するスペースが確保できない場合に有効で、ＮＢＣＲ災害に対応するシェルター非常換気装置ガスフィルター３１により、長期間にわたり有害物質除去精度の極めて高い陽圧フィルタリング換気を行うことで、構造物内部の汚染を防ぐことができるとともに、避難者に安全な空気を供給することができる。
【００６５】
図５−ｂに示す運用実施構成は、陰圧フィルタリング換気を行うための構成で、空気に有害な汚染を生じさせ得る可能性のある物質が構造物内部に存在する原子力発電所や生化学工場のテロ災害対策や事故災害対策の事後対策として特に有効で、事後対策作業者は、構造物内部に入ることなく構造物の屋外側から構造物壁体１の任意の位置に貫通孔下地穴２を設け、図３および図９に示す引張固定ユニット２１を使用するシェルター非常換気装置吸排気配管接続貫通ユニット５を形成してシェルター非常換気装置による陰圧フィルタリング換気を行うことで、ＮＢＣＲ災害に対応するシェルター非常換気装置ガスフィルター３１による長期間にわたる有害物質除去精度の極めて高い陰圧フィルタリング換気を行うことができ、構造物内部の汚染空気が屋外に流出することを防ぐとともに、構造物内部の空気に浮遊または混合する有害物質を吸着除去することができる。
【００６６】
シェルター非常換気装置吸排気配管接続貫通ユニット５は、構造物壁体１に設けた貫通孔下地穴２に当該シェルター非常換気装置吸排気配管接続貫通ユニット５を組み付けてシェルター非常換気装置が接続できる吸排気貫通孔３を形成するための部材であり、想定する災害の状況に応じて、図４−ａと図５−ａに示すように当該シェルター非常換気装置吸排気配管接続貫通ユニット５とシェルター非常換気装置ガスフィルター３１の吸気口側が接続された陽圧フィルタリング換気のための接続構成と、図４−ｂと図５−ｂに示すように当該シェルター非常換気装置吸排気配管接続貫通ユニット５とシェルター非常換気装置送気ファン３０の送気口側が接続された陰圧フィルタリング換気のための接続構成との両方に対応することができる。
【００６７】
図１、図２、図３に示すシェルター非常換気装置吸排気配管接続貫通ユニット５の共通点は、図６−ａの組立図に示すとおり、２つのユニットが構造物壁体１を挟み込んで貫通孔下地穴２に組立設置できる点にあり、構造物壁体１の構造に左右されることなく、貫通孔下地穴２を形成してシェルター非常換気装置吸排気配管接続貫通ユニット５を組立設置するだけで吸排気貫通孔３とすることができるので、既存するあらゆる建物の構造物壁体１に速やかに吸排気貫通孔３を形成してシェルター非常換気装置を使用した陽圧フィルタリング換気または陰圧フィルタリング換気を実施することができるので、平時における事前災害対策としての設置工事は容易かつ経済的であり、また、大規模なＮＢＣＲ災害発生時における空気汚染対策における緊急対策を必要とする時にも速やかに吸排気貫通孔３を形成してシェルター非常換気装置を接続することができる。
【００６８】
前項で述べた効果は、将来発生するかもしれない最悪の事態に対応するために求められるものであり、当該最悪の事態は様々考えられ、さらにそういった事態は１度とは限らないし複合的に発生するかもしれないので、一端組立設置した１セットのシェルター非常換気装置吸排気配管接続貫通ユニット５を、災害状況に応じて組み替えて適切な換気法に変更使用することのできる汎用性を有していることは大変重要である。
【００６９】
そのために、本発明のシェルター非常換気装置吸排気配管接続貫通ユニット５は、これら運用実施構成を示す図４−ａ、図４−ｂ、図５−ａ、図５−ｂを、あらゆる構造物壁体１に適用するために、図１、図２、図３に示す３種類の基本構成としており、シェルター非常換気装置と接続される側の吸排気配管接続パートユニット６を基本ユニットとして、引張固定ユニット（その１）１９、引張固定ユニット（その２）２０、引張固定ユニット（その３）２１の３種類の引張固定ユニット７を状況に応じて選定することができる。
【００７０】
引張固定ユニット（その１）１９は、図１と図７−ａ、図７−ｂに示すとおり、吸排気配管接続パートユニット６そのものであり、これらは互いを兼用することができる関係にあり、それぞれにシェルター非常換気装置およびベントキャップ１７などとの接続が可能なように適切な加工を施しておくことで、災害の状況に応じてシェルター非常換気装置吸排気配管接続貫通ユニット５をそのままに、シェルター非常換気装置やベントキャップ１７等を屋内、屋外いずれにも接続変更することを可能とし、引張固定ユニット１９と吸排気配管接続パートユニット６との組み合わせによるシェルター非常換気装置吸排気配管接続貫通ユニット５は、防衛防災対策として最も対策効果を高めることのできる引張固定ユニット７である。
【００７１】  引張固定ユニット（その２）２０は、図２と図８−ａ、図８−ｂに示すとおり、引張固定ユニット（その１）１９の壁体外側筒状体部１５とシェルター非常換気装置吸排気配管接続部１４とを持たないユニットであり、引張固定ユニット（その１）１９のように汎用性が高くはないが、シェルター非常換気装置の設置側とは反対側に当該引張固定ユニット（その２）２０が配置されるように適宜シェルター非常換気装置吸排気配管接続貫通ユニット５を組み替えることで、引張固定ユニット（その１）１９と同様の防衛防災対策とすることのできる構成であり、より経済的な引張固定ユニット７である。
【００７２】
また、引張固定ユニット（その１）１９および引張固定ユニット（その２）２０は、図６−ａ、図６−ｂ、図６−ｃに示す組立手順でシェルター非常換気装置吸排気配管接続貫通ユニット５とすることができ、互いの位置規制壁面板１２で構造物壁体１を挟み込んで気密性を確保しながら構造物壁体１に固定できるため、鉄筋コンクリート造や木造、鉄骨造など、様々な構造の構造物壁体１に採用することができ、さらに、１本乃至複数本の引張固定軸材８で互いを接続するだけなので容易にシェルター非常換気装置吸排気配管接続貫通ユニット５を形成することができる。
【００７３】
さらに、引張固定ユニット（その１）１９および引張固定ユニット（その２）２０は、図１、図２に示すとおり、互いのユニットの壁体挿入筒状体部１６同士をフレキシブルダクト１８で接続することができ、貫通孔下地穴２が、鉄筋コンクリート以外の木造や鉄骨増などの中空構造の構造物壁体１であっても、中空構造の壁体内の空気と吸排気が混ざり合うことのない確実な換気を行うことができる。
【００７４】
引張固定ユニット（その３）２１は、図３、図９に示すような位置規制ガイド１３を備えた最も単純で経済的な引張固定ユニット７であり、それ自体が貫通孔下地穴２の内部を通過することのできる大きさであるため、図６−ａ、図６−ｂ、図６−ｃに示す組立手順以外に、例えば、図６−ａにおいて、引張固定ユニット７が配置される側の反対側の貫通孔下地穴２の開口部からの作業員の手作業による設置が可能で、構造物壁体１の一方が放射性物質等で極度に汚染され引張固定ユニット７の設置側に回り込めない場合に、容易に組立作業を行うことができ経済的であり、事後対策用としての組立設置に効果的である。
【００７５】
さらに、シェルター非常換気装置吸排気配管接続貫通ユニット５は、図１、図２、図３、図４−ａ、図４−ｂ、図５−ａ、図５−ｂ、図６−ａ、図６−ｂ、図６−ｃに示すように、内部小径貫通配管２４を１本以上形成することができ、これら内部小径貫通配管２４を利用することで、より機能的で本格的な防衛防災対策を講じることができる。
【００７６】
図４−ａ、図４−ｂ、図５−ａ、図５−ｂに示すシェルター非常換気装置吸排気配管接続貫通ユニット５は、それぞれ３本の内部小径貫通配管２４が設けられており、屋外大気圧と屋内気圧との差圧を測定するための差圧計測用内部小径貫通配管２５、水をはじめとする流体を屋内側と屋外側との間で給排水するための給排水用内部小径貫通配管２６、電力ケーブルや通信ケーブルを内部小径貫通配管２４内部に挿入してケーブル類を貫通するためのサヤ管の役割を果たすケーブル用内部小径貫通配管２７が備わっている状況を示しており、これらはシェルター非常換気装置吸排気配管接続貫通ユニット５により形成する吸排気貫通孔３の内部空間を利用して形成しているので、別途それぞれの専用貫通孔を構造物壁体１に形成する必要がなく経済的であるとともに、多様化する災害に臨機応変に対応する可能性を大幅に高めながら容易かつ経済的に対策を講ずることができるので、緊急対応時にも迅速に形成して対応することができる。
【００７７】
内部小径貫通配管２４の最も効果的な利用法は、陽圧フィルタリング換気または陰圧フィルタリング換気を行う際の、陽圧または陰圧の度合いを示す差圧を連続的に管理することができる差圧計測用内部小径貫通配管２５としての利用であり、これは図１、図２、図３、図４−ａ、図４−ｂ、図５−ａ、図５−ｂ、図６−ａ、図６−ｂ、図６−ｃのすべてに示している。
【００７８】
当該差圧計測用内部小径貫通配管２５は、確実な差圧換気状態を維持するために必須であり、また、気密性の低い既存建物などに採用した場合では、気密性欠損部をふさぐなどして行った気密性確保対策が効果的であるかどうかの判断も容易となる。
【００７９】
当該差圧計測用内部小径貫通配管２５の差圧計測器接続側と反対側の差圧計測用の小径配管接続貫通部材２２の開口部の位置は、吸排気配管接続パートユニット６および引張固定ユニット７の任意の相応しい位置に小径配管接続貫通部材２２を設定して吸排気貫通孔３を流れる空気圧の影響を受けないことが重要であり、例えば、図３に示す差圧計測器３５の接続側と反対側の差圧計測用小径配管接続貫通部材２２の屋外側開口部の位置は、吸排気に伴う気圧変動の影響を受けやすい位置にありこのままでは正確な差圧測定ができないと考えられるので、差圧計測用配管３２の開口部、かつ、当該小径配管接続貫通部材２２の屋外側開口部に、図３に示すように差圧計測用配管部材３２を接続して、当該差圧計測用配管３２の開口部を吸排気貫通孔３から十分遠ざけることで、より正確な差圧を計測することができる。
【００８０】
また、内部小径貫通配管２４の追加的な利用法は、図４−ａ、図４−ｂ、図５−ａ、図５−ｂに示すように、給排水用内部小径貫通配管２６やケーブル用内部誘導貫通サヤ配管２７としての利用であり、閉鎖系空間や災害後の孤立系空間のインフラ確保のための自由度を大幅に高めることができる。
【００８１】
給排水用内部小径貫通配管２６は、もともと給排水インフラが備わっていない、または、破損してしまった屋内で避難生活を送る際などにおいて、必要とされる生活水の供給や不要となった排水などを行うための新たな専用の給排水貫通孔を構造物壁体１に形成しなくても給排水することができるので経済的である。
【００８２】
ケーブル用内部小径貫通配管２７は、もともと電力および通信インフラが備わっていないか破損してしまった屋内で避難生活を送る際などにおいて、必要とされる電力および通信を行うための新たな専用のケーブル引込用の貫通孔を構造物壁体１に形成しなくてもケーブルを引き込むことができるので経済的である。
【００８３】
その他、シェルター非常換気装置吸排気配管接続貫通ユニット５は、吸排気配管接続パートユニット６および引張固定ユニット７の位置規制壁面板１２が、適切な力で構造物壁体１の壁面に押しつけられているので、構造物壁体１の壁面と当該位置規制壁面板１２との間にパッキン等を挟むか位置規制壁面板１２の縁にコーキングを施すなどして、高い気密性、防水性等を確保することができる。
【００８４】
また、シェルター非常換気装置吸排気配管接続貫通ユニット５は、屋外の防雨対策として、図１、図２、図３、図６−ｂ、図６−ｃに示すように、屋外側の引張固定ユニット７にベントキャップ１７を取り付けることもできる。
【００８５】
なお、吸排気配管接続パートユニット６、引張固定ユニット７は、図７−ａ、図７−ｂ、図８−ａ、図８−ｂに示すとおり、各ユニットの断面や筒状体部の形状が円形となっているが、四角形などの断面形状を採用することもできる。
【００８６】
以上、本発明のシェルター非常換気装置吸排気配管接続貫通ユニット５および組立接続方法は、既存する構造物および建設計画中のあらゆる構造物に容易かつ経済的にシェルター非常換気装置を設置することができ、万一の災害に対する事前対策として、あるいは、災害発生後の事後対策として対処することのできる機器構成と換気効果を実現し、また、精度の高い差圧管理を行うための差圧計測用内部小径貫通配管２５、任意に設定する避難生活を支援するための給排水用内部小径貫通配管２６、新たなケーブルを引き込むためのケーブル用内部誘導貫通サヤ配管２７などに利用することができる内部小径貫通配管２４を備えているので、危機の状況に応じて臨機応変な対処を実施することができるので、万一の最悪の事態に備えた国家、国民を守るための装備として採用することができる。
【符号の説明】
【００８７】１  構造物壁体
２  貫通孔下地穴
３  吸排気貫通孔
４  任意開口部
５  シェルター非常換気装置吸気配管接続貫通ユニット
６  吸排気配管接続パートユニット
７  引張固定ユニット
８  引張固定軸材
９  軸材固定部
１０  軸材接続固定受材
１１  固定金物
１２  位置規制壁面板
１３  位置規制ガイド
１４  換気装置吸排気配管接続部
１５  壁体外側筒状体部
１６  壁体挿入筒状体部
１７  ベントキャップ
１８  フレキシブルダクト
１９  引張固定ユニット（その１）
２０  引張固定ユニット（その２）
２１  引張固定ユニット（その３）
２２  小径配管接続貫通部材
２３  内部小径配管部材
２４  内部小径貫通配管
２５  差圧計測用内部小径貫通配管
２６  給排水用内部小径貫通配管
２７  ケーブル用内部誘導貫通サヤ配管
２８  シェルター非常換気装置吸気配管
２９  シェルター非常換気装置送気配管
３０  シェルター非常換気装置送気ファン
３１  シェルター非常換気装置ガスフィルター
３２  差圧計測用配管
３３  給排水配管
３４  ケーブル
３５  差圧計測器
３６  給排水設備
３７  電気設備
【図１】
0005780065.tif 000002
【図２】
0005780065.tif 000003
【図３】
0005780065.tif 000004
【図４−ａ】
0005780065.tif 000005
【図４−ｂ】
0005780065.tif 000006
【図５−ａ】
0005780065.tif 000007
【図５−ｂ】
0005780065.tif 000008
【図６−ａ】
0005780065.tif 000009
【図６−ｂ】
0005780065.tif 000010
【図６−ｃ】
0005780065.tif 000011
【図７−ａ】
0005780065.tif 000012
【図７−ｂ】
0005780065.tif 000013
【図８−ａ】
0005780065.tif 000014
【図８−ｂ】
0005780065.tif 000015
【図９】
0005780065.tif 000016